(57)【要約】      （修正有）【課題】小売薬局環境において、効率的かつ費用効果の良い調剤済み処方の保管及び回収方法を提供する【解決手段】処方管理システム１１０は処方情報を受信し、処方が装填されたコンテナを管理する。処方はコンテナ１２０内に保管され、コンテナ１２０は追跡装置１３０に取り付けてあり、追跡装置１３０は処方情報を格納している。追跡装置１３０は、処方管理システム１１０によって管理されている。追跡装置１３０は、電源内蔵式であり、処方管理システム１１０から要求を受信するとインジケータ１３２をアクティベートして追跡装置１３０を識別する。インジケータ１３２は、薬剤師等のユーザが所望の処方を探すことを可能とする。【選択図】図１
2018150175.tif 000002
【特許請求の範囲】
【請求項１】
複数のコンテナを探す方法であって、
複数の顧客オーダーを受信するステップであって、各前記顧客オーダーは、オーダー識
別子と関連づけられておりかつ製品を指定するものである、ステップと、
前記オーダー識別子を格納するように複数の追跡装置のうちの１以上の追跡装置をプロ
グラムするステップであって、前記１以上のプログラムされた追跡装置の各々は前記顧客
オーダーによって指定された前記製品の少なくとも一部に結合されている、ステップと、
顧客オーダーを回収せよとの要求を受信するステップであって、前記顧客オーダーは所
望のオーダー識別子と関連づけられている、ステップと、
前記所望のオーダー識別子をブロードキャストして前記所望のオーダー識別子と一致す
るオーダー識別子がプログラムされている前記１以上の追跡装置と関連づけられているイ
ンジケータをアクティベートするステップと
を備える、方法。
【請求項２】
前記ブロードキャストは第１のインジケータをアクティベートすることを指定するもの
である、請求項１に記載の方法であって、別のオーダー識別子をブロードキャストして１
以上の前記追跡装置と関連づけられている第２のインジケータをアクティベートするステ
ップをさらに備える、請求項１に記載の方法。
【請求項３】
前記所望のオーダー識別子及び前記別のオーダー識別子は、同じ通信チャンネルを用い
てブロードキャストされる、請求項２に記載の方法。
【請求項４】
前記第１のインジケータは第１のインジケータタイプのものであり、及び、前記第２の
インジケータは第２のインジケータタイプのものである、請求項２に記載の方法。
【請求項５】
前記第１のインジケータは第１のインジケータ色であり、及び、前記第２のインジケー
タは第２のインジケータ色である、請求項２に記載の方法。
【請求項６】
前記別のオーダー識別子をブロードキャストすることによって、前記第１及び前記第２
のインジケータが同時にアクティベートされることになる、請求項２に記載の方法。
【請求項７】
アクティベートされたインジケータを有する前記追跡装置がユーザによって取得された
との指示を受信するステップをさらに備える請求項２に記載の方法であって、前記第１の
インジケータを有する前記追跡装置が取得されたとの指示を受信する前に前記別のオーダ
ー識別子はブロードキャストされる、請求項２に記載の方法。
【請求項８】
前記所望のオーダー識別子は調剤有効期限と関連づけられており、及び、前記所望のオ
ーダー識別子と前記追跡装置にプログラムされている前記オーダー識別子との一致につい
て照合することが、前記追跡装置内にプログラムされている前記オーダー識別子が調剤有
効期限経過後の製品と関連づけられているかを判定することを含む、請求項１に記載の方
法。
【請求項９】
応答している追跡装置が一致するオーダー識別子をプログラムされているとのことを示
すアクノリッジメントを追跡装置から受信するステップと、ディスプレイ上に確認を表示
するステップとをさらに備える、請求項１に記載の方法。
【請求項１０】
顧客オーダーを管理するためのプログラム可能な追跡装置であって、
前記プログラム可能な追跡装置を製品に結合するためのハウジングと、
前記顧客オーダーと関連づけられているオーダー識別子を格納するように構成されてい
る記憶装置であって、前記ハウジング内にある、記憶装置と、
前記ハウジングに結合されている１以上のインジケータ源と、
所望のオーダー識別子を受信するように構成されている無線インターフェースであって
、前記ハウジング内にある、無線インターフェースと、
前記所望のオーダー識別子が前記顧客オーダーと関連づけられている前記記憶装置内の
識別子に一致することを確認したことに応答して前記１以上のインジケータ源をアクティ
ベートするように構成されている制御ユニットであって、該ユニットは前記ハウジング内
にありかつ前記無線インターフェース及び前記インジケータ源に接続されている、制御ユ
ニットと
を備える、プログラム可能な追跡装置。
【請求項１１】
前記１以上のインジケータ源は第１のインジケータ源及び第２のインジケータ源を含み
、並びに、前記制御ユニットは、前記第１のインジケータ源又は前記第２のインジケータ
源についてのアクティベート要求を受信するように構成されており、かつ、前記要求に応
じて該インジケータ源をアクティベートさせるように構成されている、請求項１０に記載
の追跡装置。
【請求項１２】
前記プログラム可能な追跡装置は、前記製品を収容しているコンテナ内に前記製品をロ
ックするように構成されているロッキング機構であって、前記ハウジング内にある、ロッ
キング機構を備える、請求項１０に記載のプログラム可能な追跡装置。
【請求項１３】
前記プログラム可能な追跡装置は、前記プログラム可能な追跡装置を前記製品にロック
するように構成されているロッキング機構であって、前記ハウジング内にある、ロッキン
グ機構を備える、請求項１０に記載のプログラム可能な追跡装置。
【請求項１４】
前記プログラム可能な追跡装置は、ロック命令を受信したことに応答して前記ロッキン
グ機構をロックするように構成されている、請求項１３に記載のプログラム可能な追跡装
置。
【請求項１５】
前記ハウジングは前記製品にクリップによって結合されている、請求項１０に記載のプ
ログラム可能な追跡装置。
【請求項１６】
前記クリップはフックを含む、請求項１５に記載のプログラム可能な追跡装置。
【請求項１７】
前記クリップは高摩擦性表面を含む、請求項１５に記載のプログラム可能な追跡装置。
【請求項１８】
前記クリップは前記プログラム可能な追跡装置をアクティベートするためのスイッチを
含む、請求項１５に記載のプログラム可能な追跡装置。
【請求項１９】
前記ハウジングは前記製品を収容しているコンテナに取り付けてあり、また、前記ハウ
ジングは前記コンテナに結合されていることによって前記製品に結合されている、請求項
１０に記載のプログラム可能な追跡装置。
【請求項２０】
前記無線インターフェースはオーダー識別子を指定するプログラミング命令を受信する
ようにさらに構成されており、また、前記制御ユニットは指定された前記オーダー識別子
を前記記憶装置内に格納するようにさらに構成されている、請求項１０に記載のプログラ
ム可能な追跡装置。
【請求項２１】
前記制御ユニットは、前記所望のオーダー識別子が前記顧客オーダーと関連づけられて
いる前記記憶装置内の前記識別子と一致することを確認した後に前記無線インターフェー
スを介してアクノリッジメントを送信するようにさらに構成されている、請求項１０に記
載のプログラム可能な追跡装置。
【請求項２２】
顧客オーダーのパッケージング及び管理をするためのコンテナであって、
開放端を有するバッグであって、前記開放端は２以上の辺を有する、バッグと、
取っ手であって、
メイン留め具及びコンプリメンタリ留め具であって、各留め具は前記バッグの前記開
放端の対向している辺に結合されており、前記留め具を閉じることによって前記バッグが
閉じられる、メイン留め具及びコンプリメンタリ留め具と、
前記メイン留め具及び前記コンプリメンタリ留め具のうちの少なくとも１つに取り付
けられているフックと、
ユーザにアラートを提供することができる１以上のインジケータ源と
を備える、取っ手と、
無線インターフェースと、前記コンテナの前記１以上のインジケータ源に接続するイン
ターフェースと、を備える追跡装置であって、前記追跡装置は前記インジケータ源をアク
ティベートせよとの要求を受信したことに応答して前記インジケータ源をアクティベート
するように構成されている、追跡装置と
を備える、コンテナ。
【請求項２３】
前記追跡装置はオーダー識別子をさらに含み、また、前記追跡装置は前記インジケータ
源をアクティベートせよとの前記要求が前記追跡装置の前記オーダー識別子を含む場合に
前記インジケータ源をアクティベートするように構成されている、請求項２２に記載のコ
ンテナ。
【請求項２４】
前記オーダー識別子は顧客識別子を含む、請求項２２に記載のコンテナ。
【請求項２５】
前記オーダー識別子は有効期限を含み、また、インジケータ源をアクティベートせよと
の前記要求は閾値となる有効期限を指示しており、また、前記追跡装置は前記有効期限が
前記閾値となる有効期限を過ぎていると判定したことに応答して前記インジケータ源をア
クティベートするように構成されている、請求項２２に記載のコンテナ。
【請求項２６】
前記追跡装置は情報を検索せよとの要求を受信したことに応答して前記識別情報を送信
するように構成されている、請求項２２に記載のコンテナ。
【請求項２７】
前記１以上のインジケータ源は第１のインジケータ源と第２のインジケータ源とを含み
、また、前記インジケータ源をアクティベートせよとの要求は前記第１のインジケータ源
又は前記第２のインジケータ源に対してのアクティベーションを指示している、請求項２
２に記載のコンテナ。
【請求項２８】
前記追跡装置は前記コンテナに取り外し可能な態様で取り付けてある、請求項２２に記
載のコンテナ。
【請求項２９】
前記追跡装置は、ロック位置にある場合には前記バッグを閉めた状態にロックするよう
に構成されているロッキング機構を備える、請求項２２に記載のコンテナ。
【請求項３０】
前記追跡装置は、ロック命令を受信したこと、又は、前記留め具が閉じられているとの
指示を受信したことに応答して前記ロッキング機構をロックするように構成されている、
請求項２２に記載のコンテナ。
【請求項３１】
複数のコンテナを探す方法であって、
複数の顧客オーダーを受信するステップであって、各前記顧客オーダーは、オーダー識
別子と関連づけられておりかつ製品を指定するものである、ステップと、
前記オーダー識別子と、複数の追跡装置のうちの１以上の追跡装置と関連づけられてい
る追跡装置識別子とを、関連づけるステップであって、各前記１以上の追跡装置は前記顧
客オーダーによって指定された前記製品の少なくとも一部に結合されている、ステップと
、
顧客オーダーを回収せよとの要求を受信するステップであって、前記顧客オーダーは所
望のオーダー識別子と関連づけられている、ステップと、
前記所望のオーダー識別子と一致する前記オーダー識別子に関連づけられている前記追
跡装置識別子を決定するステップと、
前記決定された追跡装置識別子を送信して前記決定された追跡装置識別子に関連づけら
れている前記１以上の追跡装置に関連づけられているインジケータをアクティベートする
ステップと
を備える、方法。
【発明の詳細な説明】
【技術分野】
【０００１】
本願発明は、管理システムに一般的に関するものであり、具体的には調剤作業環境の管
理システムに関するものである。
【０００２】
関連出願の相互参照
本願は、西暦２０１２年８月２４日に出願された米国仮特許出願第61/693,237号、西暦
２０１３年３月５日に出願された米国仮特許出願第61/772,761号、及び、西暦２０１３年
８月９日に出願された米国仮特許出願第61/864,451号の利益を主張し、これら各々の全体
は参照によって援用される。
【背景技術】
【０００３】
米国において薬局は、毎年４０億以上の処方を調剤して顧客に提供している。平均的な
小売店は、毎日２００−４００の顧客処方を調剤する。顧客は、調剤された日のうちにこ
れらの処方を受け取るとは限らない。受け取られない場合、調剤された処方は典型的には
１−２週間或いはそれよりも長く保管された後に在庫に戻される。小売薬局におけるウィ
ルコール（will call）処理及び保管ビン（bin）は、数百から数千個の顧客による受け取
りを待っている調剤済み処方を整理及び保管しなければならない。この多数の調剤済み処
方を管理するに際して直面する１つの困難には、待機中の顧客の処方をウィルコールビン
の中から探すためにレジ係が費やす時間が含まれる。これは処方の受け取りのために顧客
が順番待ちをしている時間に対応し、顧客満足度に影響を及ぼす。間違ったビンの中に処
方を入れるというエラーは、置き違えた処方により再調剤が必要となりその間顧客は待た
されるという状態、又は、処方を探し出すのにより長い時間が費やされるという状態をも
たらし得る。
【０００４】
顧客が処方を受け取らない場合、薬局は古くなった処方をウィルコールビンから回収し
て未使用の薬剤をストックに戻す必要がある。これらの古くなった処方を、ウィルコール
ビン内の数百から数千のパッケージから探し出して回収することは、薬局のスタッフにと
って時間のかかる処理となる。
【０００５】
小売薬局環境においての調剤済み処方の保管及び回収に関してのより効率的かつ費用効
果の良いソリューションが必要とされている。
【発明の概要】
【０００６】
処方管理システムは、処方情報を受信し、及び、処方が装填されたコンテナを管理する
。処方管理システムは、特定のコンテナに処方が装填されているとの薬剤師又は処方調剤
システムからの指示を受信する。コンテナは薬局内に保管され、また、所望のコンテナ内
の処方が要求された場合にコンテナのインジケータがアクティベートされる。インジケー
タは、薬剤師がコンテナの識別に用いることのできる聴覚的な又は視覚的なインジケータ
であることができる。顧客に処方を渡す前に、コンテナに格納された情報を処方管理シス
テムの処方情報と照らして検証して、正しいコンテナが回収されたことを担保する。
【０００７】
処方管理システムは処方コンテナを管理するものとして説明されているが、該システム
は、病院内部や介護施設等の薬局外の環境下での薬剤の整理又は薬剤以外の他のものの整
理に用いることができる。例えば、該システムは、小売店内の様々な種類の製品を整理及
び追跡するのに用いたり、図書館内の書籍を追跡するのに用いたり、事務所内のファイル
を追跡するのに用いたり、家庭内においてオーディオ若しくはビデオコンテンツを追跡す
るのに用いたり、又は、様々なものを整理・追跡・迅速に検索することが有益である他の
任意の場面に用いたりすることができる。
【図面の簡単な説明】
【０００８】
【図１】処方管理システムを用いる調剤環境に関しての１つの実施形態を示す図である。
【図２】１つの実施形態による、処方管理システムのコンポーネントを示す図である。
【図３】１つの実施形態による、処方を追跡するためのフローチャートである。
【図４】１つの実施形態による、処方を収容するためのコンテナの１つの実施形態を示す図である。
【図５】１つの実施形態による、処方コンテナの取っ手のコンポーネントについての斜視図である。
【図６】１つの実施形態による、処方コンテナの取っ手の断面図である。
【図７】１つの実施形態による、追跡装置のブロック図である。
【図８】１つの実施形態による、取り外し可能な追跡装置を示す図である。
【０００９】
図面は、例示目的のためだけに、本願発明の様々な実施形態を示す。当業者は後述の記
載を参照することによって、本願発明の原理から逸脱せずに、本願明細書にて例示する部
材及び方法に関して代替的な実施形態を用いることができると容易に理解するであろう。
【発明を実施するための形態】
【００１０】
概説
図１は、処方管理システム１１０を用いる調剤環境１００についての１つの実施形態を
示す。処方管理システム１１０は、別個の又は他の管理システムと組み合わされたシステ
ムであることができ、また、店舗内にローカルに存在するか遠隔地に存在することができ
る。処方管理システム１１０は、処方情報を受信し、及び、処方が装填されたコンテナ１
２０を管理する。処方管理システム１１０は、特定のコンテナ１２０に処方が装填されて
いるとの薬剤師又は処方管理システム１１０からの指示を受信する。薬剤師は、コンテナ
１２０を薬局内に保管し、顧客に処方を引き渡す準備ができたらば、処方管理システム１
１０はコンテナ１２０のインジケータ１３２をアクティベートする。インジケータ１３２
は、所望のコンテナ１２０を識別するのに用いる聴覚的、視覚的、又は他の感覚的な信号
である。１つの実施形態では、顧客に処方を引き渡す前に、コンテナに格納された情報を
処方管理システム１１０の処方情報と照らして検証して、正しいコンテナが回収されたこ
とを担保する。調剤環境１００は、薬剤ストック室、パッケージングステーション、調剤
済み処方留置エリア及び顧客受け取りカウンターを含む。
【００１１】
パッケージングステーションは、調剤ステーション１０２、複数の追跡装置１３０、複
数の錠剤ボトル、及び複数の空のコンテナ１２０を含む。調剤ステーション１０２では、
複数の空のコンテナ１２０に、処方に対応する薬剤を装填する。薬剤は、ピル型錠剤、カ
プセル、タブレット型錠剤、吸引器、注射可能薬剤、クリーム、軟膏及び顧客に処方され
る他の任意のものであることできる。装填されたコンテナ１２０は、クリッピング機構、
接着剤又ははめ合い部品等を介して、複数の追跡装置のうちの１つに取り付けられる。別
の実施形態では、追跡装置１３０はコンテナ１２０の一部である。他の実施形態では、追
跡装置１３０はコンテナ１２０の中に置かれる。
【００１２】
処方が調剤ステーション１０２で調剤される際、調剤ステーション１０２は、処方識別
子及び調剤された処方と関連づけられている追跡装置識別子を、処方管理システム１１０
へと送信する。処方管理システム１１０は、追跡装置識別子と調剤された処方とを関連づ
ける。１つの実施形態では、処方オーダーを追跡する際、処方管理システムは、追跡装置
識別子を検索した上で、追跡装置識別子を、関連している調剤済みの処方情報の情報と、
比較することによって処方を収容している追跡装置１３０を識別する。
【００１３】
１つの実施形態では、処方管理システム１１０は追跡装置１３０をプログラムして処方
識別子を格納する。この実施形態では、追跡装置１３０は、ローカルメモリに処方識別子
を格納することができるという点でプログラム可能である。１つの実施形態では、追跡装
置へ信号が発せられて処方識別子が受信される。即ち、追跡装置は低電力モードでスリー
プしていたり、処方識別子を受信することのできないモードにあったりすることができる
。別の実施形態では、信号が追跡装置をトリガして処方識別子についてリッスンするよう
にする。追跡装置は、スイッチの押下、揺する等の特定の運動、光のフラッシュ、誘導性
パルス、無線周波数信号、電気的接触又は他の手段等の様々な方法によって信号を与えら
れることができる。処方識別子は、コンテナ１２０内の調剤済み処方の整理番号、又は、
顧客の氏名、住所、生年月日、個人的識別番号（PIN）、顧客忠誠カードのコード、運転
免許証番号、クレジットカード番号等の顧客情報若しくは他の識別情報を含むことができ
る。１つの実施形態では、追跡装置１３０は個人的識別情報を何ら格納しない。他の実施
形態では、追跡装置１３０は識別情報と類似又は同一の情報を、コンテナ１２０内の内容
物についての処方オーダーのラベル上に格納する。追加の実施形態では、コンテナ１２０
は既に識別子をプログラムされており、処方管理システム１１０は、コンテナ１２０のプ
ログラムされている識別子と顧客情報とを関連づけて格納する。したがって、処方管理シ
ステム１１０はコンテナ１２０をスキャンすることによって処方オーダー及び顧客につい
て検証を行うことができる。
【００１４】
１つの実施形態では、処方管理システム１１０は、コンテナ１２０が装填されると、追
加的命令を追跡装置１３０へと送信する。コンテナ１２０がロッキング機構を有する場合
、１つの追加的命令はコンテナをロックするロック命令を含む。別の実施形態では、近接
センサー又は磁気センサー等のセンサーシステムがコンテナ１２０に設けられており、取
っ手が閉じられたことを検知する。この実施形態では、取っ手が閉じられることによって
コンテナ１２０はロックされる。
【００１５】
調剤ステーション１０２、ポイントオブセール（point-of-sale）ステーション１０４
及び処方管理システム１１０は、ワイヤレスアクセスプロトコル（WAP）等の無線通信プ
ロトコルを用いて追跡装置１３０と通信する。他の実施形態では、処方管理システム１１
０は、ワイマックス（WiMAX、Worldwide Interoperability for Microwave Access、登録
商標）、グローバルシステムフォーモバイルコミュニケーションズ（GSM、Global System
for Mobile Communications、登録商標）、WLANの802.11系規格、ワイヤレスパーソナル
エリアネットワーク（WPAN）、ブルートゥース（登録商標）又はIrDAを含む他の無線通信
プロトコルを介してコンテナ１２０と通信する。
【００１６】
他の実施形態では、調剤ステーション１０２及びポイントオブセールステーション１０
４との物理的な接続を介して通信を確立する。ステーションに取り付けられた棒、ビン（
bin）又はステーション上の充電パッド上にコンテナ１２０をマウントすることによって
、物理的な接続を得ることができる。
【００１７】
コンテナが装填された際、薬剤師はコンテナ１２０を調剤済み処方留置エリアに加える
。一般に、調剤済み処方留置エリアはラック（rack）又は複数のウィルコールビンである
。内蔵電池、超コンデンサ又は再充電可能若しくは置き換え可能な他の電力貯蔵機構等の
電源が追跡装置１３０内にあるため、調剤済み処方留置エリアは電源に接続されていない
ことができる。
【００１８】
追跡装置１３０内の電源が再充電可能である実施形態では、追跡装置１３０は調剤ステ
ーション１０２及びポイントオブセールステーション１０４との物理的接続を介して再充
電されることができる。通電、誘電又は運動によってパワーの供給を受ける、ステーショ
ンに取り付けられた棒、ビン又はステーション上の充電パッド上に、コンテナ１２０をマ
ウントすることによって、物理的な接続を得ることができる。別の実施形態では、コンテ
ナは光起電性のコンポーネント（太陽光／室内光）を含む。
【００１９】
１つの実施形態では、調剤ステーション１０２で装填する代わりに、コンテナ１２０に
処方を装填する中央薬局等の遠隔地にてコンテナ１２０に処方を装填する。追跡装置１３
０は、ローカル薬局１００ではなくリモート薬局にて、処方と関連づけられるか処方情報
若しくは処方識別子をプログラムされることができる。１つの実施形態では、追跡装置１
３０が薬局１００に到着すると、処方管理システム１１０は、処方識別子又は追跡装置識
別子を追跡装置１３０から受信する。処方管理システム１１０は、処方が店舗によって引
き取られたとのことを登録し、処方を追跡装置識別子と関連付ける。１つの実施形態では
、処方管理システム１１０は、追跡装置内の処方情報又は処方識別子を用いて、処方を識
別するか又は処方に関する顧客情報を追加する。このシステムは、リモートでの処方の調
剤及びローカル薬局１００での追跡装置の迅速な関連づけを可能とする。コンテナ１２０
がロッキング機構を含む実施形態では、輸送時においてもコンテナ１２０はセキュアにロ
ックされていることができる。
【００２０】
１つの実施形態では、調剤済み処方留置エリアは、同エリア内に配置された複数のガイ
ドポストステーション（不図示）を含む。ガイドポストステーションは、視覚的又は聴覚
的なアラーム等の検索用のフィーチャーを含み、これらは近隣のコンテナ１２０のインジ
ケータ１３２がアクティベートされた場合にアクティベートされる。
【００２１】
顧客受け取りカウンターは、顧客データ入力ユニット１０６及びポイントオブセールス
テーション１０４を含む。ユーザは顧客データを受けて、薬剤師、レジ係又は作業員等の
ユーザによって回収された処方を受け取りカウンターにいる顧客に引き渡して良いことを
検証する。ユーザは、キーパッド、タッチスクリーン、カードリーダー、レジ、近距離無
線通信（NFC）装置及び顧客から情報を入手するのに適した任意の他の装置等の顧客デー
タ入力ユニット１０６を介して直接的に顧客情報を受け取る。１つの実施形態では、処方
管理システム１１０は、処方識別子又は追跡装置識別子を用いて関連づけられている追跡
装置１３０へと無線命令を送信する。追跡装置１３０は、顧客に関連づけられているコン
テナ１２０のインジケータ１３２をアクティベートする。ユーザは、アクティブなインジ
ケータ１３２を頼りに所望の処方を収容しているコンテナ１２０を識別し、関連づけられ
ているコンテナ１２０を調剤済み処方留置エリアから回収する。
【００２２】
追跡装置１３０が処方識別子を保持する実施形態では、ポイントオブセールステーショ
ン１０４での検証の際、処方管理システム１１０に格納されている処方情報と追跡装置１
３０内に格納されている処方識別子とが無線接続を介して比較されるのであって、該処方
識別子は揮発性又は不揮発性メモリにて格納されていることができる。比較の結果及びユ
ーザによって選択されたコンテナ１２０が処方管理システム１１０に格納されている処方
情報と一致する処方情報を有するのかがユーザに通知される。１つの実施形態では、結果
はコンテナ１２０に設けられている視覚的ディスプレイ上に示されるのであり、これは電
子ペーパー又はe-paperディスプレイ等の画像維持に際して低電力で済む又は電力を要さ
ないディスプレイであることができる。他の実施形態では、結果は受け取りカウンターに
あるコンピュータ画面上の視覚的ディスプレイ上に示される。これにより、正しい処方が
調剤済み処方留置エリアから回収されたかをユーザが判断することができる。
【００２３】
特定の実施形態では、コンテナ１２０内の処方を顧客に引き渡す前にさらなる検証を行
う。受け取りカウンター内の顧客データ入力ユニット１０６にて顧客は、処方オーダーに
ついての顧客又は処方の識別子を顧客データ入力ユニット１０６で入力する。この実施形
態では、調剤済み処方留置エリアから要求された処方が回収されたことを検証することに
加えて、顧客の身元を検証する。１つの実施形態では、顧客は顧客又は処方の識別子を、
キーパッドを用いて入力する。他の実施形態では、顧客は磁気ストライプリーダー、バー
コードスキャナ又はNFC／RFIDスキャナを用いて処方識別子を提供する。他の実施形態で
は、処方の回収に際して追加情報を入力する代わりに、コンテナ内の処方についてユーザ
（例えば、薬剤師や薬局技術者）からの助言を受けることを顧客に要求する。顧客によっ
て入力された処方識別子は処方管理システム１１０内に格納されている処方識別子又は回
収されたコンテナ１２０の追跡装置１３０内に格納されている処方識別子と比較される。
他の実施形態では、顧客が顧客データ入力ユニット１０６に情報を入力した際に、処方管
理システム１１０は自動的に命令をコンテナ１２０へ送信してインジケータ１３２をアク
ティベートする。コンテナ１２０がロックされている実施形態では、ポイントオブセール
ステーションから顧客の検証結果が受信された際には、コンテナ１２０の追跡装置１３０
コンポーネントへアンロック命令が送信される。他の実施形態では、追加的顧客検証に加
えて又はその代わりとして、コンテナ内の処方について助言を受けることを顧客に要求す
る。
【００２４】
他の実施形態では、ユーザが間違ったコンテナ１２０を回収した又は顧客が間違った情
報を入力したことによって検証が失敗した場合、処方管理システム１１０は、コンテナ１
２０に聴取可能なアラート、視覚的なアラート又は先述のアラートの組合せを発してユー
ザに通知させるための信号を、送信する。
【００２５】
図２は、１つの実施形態での処方管理システム１１０のコンポーネントを示す。処方管
理システム１１０は、処方コンテナを管理するための処方入力モジュール２００、処方調
剤モジュール２１０、コンテナ通信モジュール２２０、顧客検証モジュール２３０及びポ
イントオブセールモジュール２４０を含む様々なモジュールを含む。稼働中においては、
処方管理システム１１０は顧客処方２５０や追跡装置データ２６０等の様々なデータを保
持する。
【００２６】
顧客処方２５０は複数の処方識別子を格納している。処方識別子はコンテナ１２０内に
装填されている処方の整理番号及び顧客の氏名、住所、生年月日、個人的識別番号（PIN
）、顧客忠誠カードのコード、運転免許証番号、クレジットカード番号等の顧客情報若し
くは他の識別情報等の顧客情報を含むことができる。１つの実施形態では、追跡装置１３
０は処方識別子を格納する。他の実施形態では、追跡装置１３０は予めプログラムされた
識別子を有する。
【００２７】
追跡装置データ２６０は、複数の追跡装置識別子及び関連づけられている複数の処方情
報を格納している。処方管理システム１１０は、各追跡装置識別子をそれぞれの処方オー
ダーと関連づけて、各コンテナ１２０を顧客に関連づける。
【００２８】
処方入力モジュール２００は、薬局１００における処方の入力を管理する。処方管理シ
ステム１１０は、処方オーダーと処方識別子の顧客情報とを顧客処方１２２へ格納するか
、或いは、顧客情報が既に顧客処方１２２内に保持されている場合には該情報を顧客検証
モジュール２３０へと送信する。処方入力モジュール２００は、処方情報を受信した後に
処方オーダーを顧客処方２５０に入力する。リモートサイトで処方オーダーが調剤される
実施形態では、コンテナ１２０がローカル薬局１００に到着すると、様々な手段を用いて
処方が処方入力モジュール２００によって受け取られる。１つの方法では、処方入力モジ
ュール２００はコンテナ１２０の追跡装置１３０上の処方情報をスキャンして、処方情報
を用いてリモートの処方管理システムに対してクエリを発する。一旦スキャンされると、
処方入力モジュール２００は処方オーダーを処方管理システム１１０に登載する。他の方
法としては、ローカルの管理システムに追加的な管理システムを統合して追加的な管理シ
ステムのデータベースへのアクセスを可能とすることができる。
【００２９】
処方調剤モジュール２１０は、処方オーダーを管理し、また、調剤済み処方を追跡装置
１３０と関連づける。処方調剤モジュール２１０は顧客情報を受信し、また、処方オーダ
ーについて顧客処方２５０にアクセスする。処方がコンテナ１２０内に置かれると、処方
調剤モジュール２１０は、コンテナ１２０に取り付けられた追跡装置１３０についての追
跡装置識別子を受信する。処方調剤モジュール２１０は、追跡装置識別子及び関連づけら
れている処方情報で追跡装置データ２６０を更新する。追跡装置１３０が処方情報で更新
される実施形態では、処方調剤モジュール２１０はコンテナ通信モジュール２２０を介し
て処方情報を追跡装置１３０へ送信する。コンテナ１２０がロックを含む実施形態では、
処方調剤モジュール２１０は追跡装置１３０へロック命令を送信してコンテナ１２０をロ
ックする。
【００３０】
コンテナ通信モジュール２２０は情報及び命令を処方管理システム１１０から追跡装置
１３０へと無線トランシーバを介してリレーする。１つの実施形態によれば、処方がコン
テナ１２０内に置かれたらば、コンテナ通信モジュール２２０は処方情報をコンテナ１２
０へと送信する。他の実施形態は、コンテナ１２０の予めプログラムされた識別子を取得
するステップを含む。コンテナ通信モジュール２２０はコンテナ１２０へ、インジケータ
１３２をアクティベートする命令、装填されたらばコンテナ１２０をロックする命令及び
顧客によって回収された場合にコンテナ１２０をアンロックする命令を含む命令を送信す
ることができる。処方識別子が追跡装置１３０内に格納されている実施形態では、コンテ
ナ通信モジュール２２０は、追跡装置１３０からデータを読み取ることもできる。無線ト
ランシーバを用いて追跡装置１３０をアドレッシングするために、コンテナ通信モジュー
ル２２０は、所望の追跡装置１３０に関連づけられている追跡装置識別子を送信する。
【００３１】
顧客検証モジュール２３０は、処方入力モジュール２００から処方識別子を受信する。
顧客受け取りカウンター内のポイントオブセールステーション１０４にコンテナ１２０が
着いたならば、顧客検証モジュール２３０は追跡モジュール１３０から処方識別子を取得
する。顧客検証モジュール２３０は、処方識別子を追跡装置１３０から受信した処方識別
子と比較する。処方管理システム１１０は、視覚的ディスプレイを介してユーザへ、処方
識別子が追跡装置１３０上に格納されている識別子と一致するか否かについて指示する通
知を送る。コンテナ１２０へロック命令が送信された実施形態では、顧客検証モジュール
２３０は、情報の一致に応答してアンロック命令を送信する。
【００３２】
図３は、１つの実施形態による、処方追跡についてのフローチャートである。このプロ
セスは処方管理システム１１０の様々なモジュールによって行うことができる。はじめに
、処方オーダーを受信する（３００）。処方オーダーは、顧客、医師又は薬局作業員、レ
ジ係若しくは薬剤師等のユーザからのものであることができる。関連づけられている処方
がコンテナ１２０に装填されたらば、コンテナ１２０へ処方識別子が転送される（３１０
）。別の実施形態では、処方識別子は処方情報を含む。処方オーダーがリモートサイトで
調剤される１つの実施形態では、ローカル薬局にてコンテナ１２０をスキャンして処方オ
ーダーをローカルの処方管理システム１１０に登載する。処方管理システム１１０は随意
的に処方オーダーが調剤されていることを検証する（３２０）。
【００３３】
次に、処方管理システム１１０は、調剤済み処方を回収する要求を受信する（３３０）
。処方識別子又は処方と関連づけられている追跡装置識別子にアクセスし、関連づけられ
ている追跡装置をアクティベートする要求を追跡装置１３０へ送信する（３４０）。１つ
の実施形態では、該送信信号は、複数の追跡装置１３０によって受信されているチャンネ
ルへ送出される。この実施形態では、該送信信号はアクティベートされるべき処方識別子
又は追跡装置識別子を指定し、並びに、追跡装置は該送信信号を受信し、及び、情報と追
跡装置１３０に格納されている情報とについて一致を検証することによって該送信信号が
その追跡装置を指定する情報を含んでいるかを判定する。例えば、顧客たるJack氏が自己
の処方を要求した場合、処方管理システム１１０はJack氏と関連づけられている顧客情報
をアクティベーション命令に入れて送る。これに応答して、追跡装置は、送信された顧客
情報が追跡装置内に格納されている顧客情報と一致するかを判定する。Jack氏と関連づけ
られている顧客情報を有する追跡装置は一致することになり、インジケータがアクティベ
ートされる。
【００３４】
アクティベーション後、ユーザはアクティベートされたインジケータを有するアクティ
ベートされたコンテナを回収する。アクティベートされた追跡装置１３０を有するコンテ
ナがユーザによって回収される（３５０）。追跡装置１３０上の処方情報は読み取られる
（３６０）。処方管理システム１１０は追跡装置から取得した処方識別子をコンテナ１２
０内の調剤済み処方情報と比較する（３７０）。情報が一致する場合、ユーザは処方を顧
客に引き渡す（３８０）。他の実施形態では、情報が一致する場合には処方管理システム
１１０がコンテナ１２０へのアクセスを許可するのであり、コンテナ１２０がロックされ
ている実施形態では、処方管理システム１１０がコンテナ１２０へアンロック命令を送信
する。１つの実施形態では、情報が一致した後に処方識別子が追跡装置から抹消される。
【００３５】
図４は、処方を収容するためのコンテナ１２０の１つの実施形態を示す。コンテナ１２
０は、追跡装置１３０、インジケータ１３２、バッグ４００及び取っ手４１０を含む。こ
の実施形態では、インジケータ１３２は例えば発光ダイオード（LED）等の視覚インジケ
ータであり、アクティベートされると取っ手の一部を発光させる。他の実施形態では、イ
ンジケータ１３２は、多色LEDや他の視覚的ディスプレイを含む代替的な視覚インジケー
タ、スピーカやブザーを含む聴覚インジケータ又は感覚的な刺激を発する他の任意のコン
ポーネントであることができる。
【００３６】
図４に示す実施形態においては、バッグ４００は透明なプラスチック袋である。他の実
施形態では、バッグ２０４は他の耐久性のある再利用可能な材料から作られていることが
できる。代替的には、バッグ４００を透明ではなく不透明として処方に対しての光コンタ
ミネーション及び権限のない者による処方の閲覧を防止することができる。取っ手４１０
は、互いに取り外し可能な２つのはめ合い面によって作られている。取っ手４１０がクリ
ップ機構である実施形態では、２つのはめ合い面は、クリップ機構のヒンジに応じて互い
に取り外し可能又は互いに取り外し不可能とされる。バッグ４００は、取っ手４１０のは
め合い面に取り付けられる開放サイドを有する。取っ手のはめ合い面を互いに結合させた
場合、バッグ４００は閉じられるのであり、また、他の実施形態ではロックされている。
図４に示す実施形態では、取っ手４１０は、グリップ領域を伴うフック形状を有している
。他の実施形態では、取っ手４１０はフック又はグリップを有さない。
【００３７】
図４に示す実施形態では、追跡装置１３０は取っ手４１０内に閉じ込められている。他
の実施形態では、追跡装置１３０は取り外し可能な又はマウント可能なコンポーネントと
することができる。他の実施形態では、追跡装置１３０及びロッキング機構は１つのコン
ポーネントに機械的に統合されている。取り外し可能な追跡装置１３０の１つの実施形態
は、図８に示してある。
【００３８】
１つの実施形態では、コンテナ１２０は、図４に示していない追加的なコンポーネント
を含む。このようなコンポーネントには、ロッキング閉鎖機構、ロッキング閉鎖機構を制
御するモーター、ディスプレイパネル、追跡装置識別子及びステーション接続部が含まれ
る。ロッキング閉鎖機構を制御するモーターは、コンテナ１２０をロック及びアンロック
するための機械的機構を駆動する。１つの実施形態では、追跡装置識別子はRFIDタグ等の
各コンテナ１２０に付与されている固定コードである。ディスプレイパネルは、e-paper
ディスプレイ等の低電力型又は電力を消費しないタイプのディスプレイであり、追跡装置
１３０上に格納されている処方識別子を表示している。
【００３９】
図５は、図４の実施形態による取っ手４１０についての斜視図である。１つの実施形態
では、取っ手４１０は、メイン留め具５００及びコンプリメンタリ留め具５１０、フック
５２０、１以上のインジケータ源１３２、連結溝５３０並びに閉鎖機構５４０を含む。
【００４０】
１つの実施形態では、取っ手４１０は、湾曲したC字型のフック５２０を含む。他の実
施形態では、フック５２０はT字型、O字型又は楕円開口部等の代替的な形状を有している
。
【００４１】
メイン留め具５００及びコンプリメンタリ留め具５１０は、連結溝５３０にてバッグ４
００の開放端に取り付くようになっており、留め具が結合された際にはバッグ４００の開
放端が閉じられる。
【００４２】
取っ手４１０は連結溝５３０を有しており、これは取っ手２０６沿いのくぼみである。
連結溝３０４は、連結溝３０４に沿って配置されたバッグ４００の開放端に取り付けられ
た接着剤を用いてバッグ２０４を取っ手４１０に連結する。他の実施形態では、フックア
ンドループ接続、ボタン、適合する雄と雌の留め具又は接続を確立するための他の任意の
手段等の他のアタッチメントによってバッグを連結溝３０４に結合する。代替的には、滑
りジョイント、捻りジョイント又は他の機械的な接続ジョイントを含む連結溝５３０以外
の構造を用いてバッグを各留め具に結合する。
【００４３】
取っ手４１０は、閉鎖機構５４０によって少なくとも一部が閉じられている。図５に示
す実施形態では、閉鎖機構５４０は、コンプリメンタリ留め具５１０上に設けられたリッ
プとメイン留め具５００上に設けられたリップフックとを備えている。この実施形態での
クロージャは、留め具をつないでコンプリメンタリ留め具がメイン留め具（典型的にはフ
ックによって懸架されている）との関係で相対的に下方向へ滑るのを防止する。他の実施
形態では、閉鎖機構５４０はベルクロ（登録商標）接続、１以上のボタンの複数個、１以
上の適合する雄と雌の留め具の複数個、ジッパー、磁石又は留め具をつなぐための他の任
意の手段である。
【００４４】
図６は、図４の実施形態によるメイン留め具５００及びコンプリメンタリ留め具５１０
の斜視図である。１組の接着性部材６００が連結溝５３０のくぼみに収められており、バ
ッグ４００の開放端をメイン留め具５００及びコンプリメンタリ留め具５１０と連結する
。閉鎖機構５４０に加えて、留め具５００、５１０内に閉じ込められている２組のコンプ
リメンタリ磁石６１０によってバッグ４００を閉じておくための追加の力が提供される。
磁石６１０及び閉鎖機構５４０は、バッグ４００を閉じた状態に保ち留め具の相互接触の
喪失を防止する。この実施形態では、追跡装置１３０はメイン留め具５００内に格納され
ている
【００４５】
特定の実施形態との関係で説明したが、追加の実施形態では、取っ手４１０にはバリエ
ーションがある。例えば、閉鎖機構はスナップ、はめ合うプラスチック製インサート、フ
ックアンドループ構造及び他の接続等の異なるクロージャを含むことができる。また、メ
イン留め具５００及びコンプリメンタリ留め具５１０は縮尺を考慮せずに図示してあるが
、各留め具の大きさを等しくする又はコンプリメンタリ留め具５１０をメイン留め具５０
０よりも大きくすることができる。同様に、クロージャは取っ手の基部にあるものとして
図示してあるが、特定の実施形態では、クロージャはフック付近等の取っ手の上部に設け
られることができる。また、クロージャは留め具の内向き面の連結として示してあるが、
他の実施形態におけるクロージャはグリップクリップ、ストラップ、スライドクリップ又
は他のクリッピング機構等の留め具の外向き面に連結した閉鎖機構によるものである。
【００４６】
図７は、１つの実施形態による追跡装置１３０のブロック図である。追跡装置１３０は
コンテナ１２０内に閉じ込められているもの又はコンテナ１２０に取り付け可能若しくは
マウント可能なものとすることができる。追跡装置１３０は電力源７００、ステーション
コネクタ７１０及び装置制御ユニット７２０を含む。電力源７００は内蔵電池、超コンデ
ンサ又は再充電可能若しくは置き換え可能な他の電力貯蔵機構であることができる。再充
電可能な電力源７００の実施形態の場合、ステーションコネクタ７１０を介してコンテナ
１２０を調剤ステーション１０２又はポイントオブセールステーション１０４に連結する
ことによって追跡装置１３０を再充電することができる。ステーションコネクタ７１０は
、ステーションに取り付けられた棒、ステーションに取り付けられたビン又はステーショ
ンに取り付けられた充電パッド上にコンテナ１２０をマウントする物理的なコネクタであ
ることができ、コネクタは通電、誘電又は運動によってパワーの供給を受ける。別の実施
形態では、コンテナは光起電性のコンポーネント（太陽光／室内光）によって駆動される
。
【００４７】
装置制御ユニット７２０は、メモリ７３０、プロセッサ７４０、少なくとも１つのイン
ジケータ７６０及び無線トランシーバ７７０を含む。メモリ７３０はプロセッサ７４０に
よって実行される得る命令及びデータを格納する。１つの実施形態では、メモリ７３０は
識別子も格納する。メモリ７３０は、ダイナミックRAM（DRAM）装置、スタティックRAM（
SRAM）装置、フラッシュRAM若しくは他の不揮発性記憶装置、これらの組合せ又は業界に
おいて知られている他のメモリ装置であることができる。１つの実施形態では、少なくと
も１つのインジケータ７６０はLEDインジケータを含む。他の実施形態では、インジケー
タ７６０は、多色LEDや視覚的ディスプレイ等を含む他の視覚インジケータ、スピーカや
ブザー等を含む聴覚インジケータ及び感覚的な刺激を発する他の任意のコンポーネントで
あることができる。１つの実施形態では、無線トランシーバ７７０は処方管理システム１
１０との通信方法とされる。他の実施形態では、ワイマックス（WiMAX、Worldwide Inter
operability for Microwave Access）、グローバルシステムフォーモバイルコミュニケー
ションズ（GSM、Global System for Mobile Communications）、WLANの802.11系規格、ワ
イヤレスパーソナルエリアネットワーク（WPAN）、ブルートゥース又はIrDAを含む他の無
線通信プロトコルが用いられる。１つの実施形態では、装置制御ユニット７２０はロッキ
ング機構を含む。したがって、コンテナ１２０がロッキング機構を有する実施形態におい
ては、処方管理システム１１０は装置制御ユニット７２０へロック命令を送信する。追加
の実施形態では、低電力状態の機能が含まれる。この機能により、コンテナ１２０は低電
力状態にとどまることができ、しまわれている間は電力を少しだけ必要とする又は電力を
必要としない状態にあることができ、処方管理システム１１０とは積極的に通信しないで
いることができる。１つの実施形態では、スイッチの押下、揺する等の特定の運動、光の
フラッシュ、誘導性パルス、無線周波数信号、電気的接触又は他のアクティベーションの
ための手段によって、追跡装置に受信又は送信をするようにシグナリングすることができ
る。アクティベーションにより、追跡装置１３０に対して、識別子を受信して格納せよと
のシグナリングが行われる。
【００４８】
コンテナ１２０がロッキング機構を有する実施形態では、ロッキング機構の副次的コン
ポーネントは、コンテナの取っ手のメイン留め具及びコンプリメンタリ留め具の上に設け
られることになる（不図示）。１つの実施形態では、ロッキング機構は磁石を用いる電子
ロックであり、これは磁気ロックとも呼ばれ、処方管理システム１１０は電力を供給した
り遮断したりすることによってロックをアクチュエートする。他の実施形態では、電気ロ
ッキング機構はソレノイド又はモーターを用いるのであり、処方管理システム１１０は電
力を供給したり遮断したりすることによってロックをアクチュエートする。ロッキング機
構の他の実施形態としては、処方管理システム１１０がRFIDタグを読み取るもの、テンキ
ーパッドを要求するもの、セキュリティトークンのスワイプを読み取るもの、指紋又は網
膜をスキャンするもの及び声紋を識別するものがある。追加の実施形態では、ユーザがコ
ンテナ１２０内の処方の顧客に対して情報又は助言を伝えることを伴う。他の実施形態で
は、ユーザが追加の検証情報を顧客に求めるようにし、それら検証情報には顧客の氏名、
住所、生年月日、個人的識別番号（PIN）、顧客忠誠カードのコード、運転免許証番号、
クレジットカード番号、秘密のセキュリティ質問への回答又は他の識別情報が含まれる。
【００４９】
コンテナ１２０がロッキング機構を有する実施形態では、コンテナ１２０のインジケー
タ１３２は、ロックの状態を多色LEDの発光色を介して指示する多色LEDであることができ
る。例えば、ロックされたコンテナは多色LEDを赤色で点滅させることができ、アンロッ
クされたコンテナは多色LEDを緑色で点滅させることができる。追加の実施形態では、電
子ロックはロックされている間は少ない電力しか要さない又は電力を要さないものとなる
。
【００５０】
他の実施形態では、処方管理システム１１０が、装置制御ユニット７２０を介して追跡
装置１３０をプログラムして処方識別子を格納する。この実施形態では、追跡装置１３０
はプログラム可能であり、情報又は識別子をローカルメモリ７３０へ格納し及び削除する
ことができる。他の実施形態では、処方管理システム１１０は装置制御ユニット７２０を
介して追跡装置１３０上の予めプログラムされた識別子を取得する。１つの実施形態では
、処方識別子は個人的識別情報を含む。別の実施形態では、処方識別子は個人的識別情報
を含まないが、識別情報と類似又は同一の情報を内容物のラベル上に又はコンテナ１２０
内の処方オーダー上に格納する。
【００５１】
他の実施形態では、装置制御ユニット７２０は処方管理システム１１０からコンテナ１
２０上のインジケータシグナルをアクティベートせよとの命令を受信し、アクティベート
せよとの命令をインジケータシグナルへ送信する。インジケータシグナルにはLED等の視
覚インジケータが含まれ、これはアクティベートされると取っ手の一部を発光させる。他
の実施形態では、インジケータシグナルは多色LEDや他の視覚的ディスプレイを含む視覚
インジケータ、スピーカやブザーを含む聴覚インジケータ又は感覚的な刺激を発する他の
任意のコンポーネントであることができる。
【００５２】
図８は、取り外し可能な追跡装置１３０の１つの実施形態を示す。取り外し可能な追跡
装置１３０は、上述の通り、電力源７００及び装置制御ユニット７２０を含む。取り外し
可能な追跡装置１３０は、コンテナ１２０に取り付くためのクリップ形式の取り付き機構
８００を含む。１つの実施形態では、取り外し可能な追跡装置１３０のクリップは、粘着
性、接着性若しくは高摩擦性の表面を含み、これによってコンテナ若しくはクリップによ
って取り付けられている他の物体からクリップが滑り落ちないようにする。１つの実施形
態では、取り外し可能な追跡装置は湾曲したC字型のフックを含む。他の実施形態では、
フックはT字型、O字型又は楕円形状等の代替的な形状を有する。１つの実施形態では、取
り外し可能な追跡装置は、上述のようなアクティベーションを受けて受信又は送信を行う
ようにシグナリングされる。取り外し可能な追跡装置１３０は、エネルギー効率のため電
源スイッチ８１０を含むことができる。取り外し可能な追跡装置１３０はインジケータ１
３２も含み、これはLEDや多色LEDや他の視覚的ディスプレイを含む視覚的なもの、スピー
カやブザーを含む聴覚的なもの又は感覚的な刺激を発する他の任意のコンポーネントであ
ることができる。
【００５３】
１つの実施形態では、１以上のユーザの複数は、各色が異なる顧客の処方を指示してい
る多色視覚インジケータを含む追跡装置１３０を用いることによって、１回で１以上のコ
ンテナ１２０の複数を回収することができる。例えば、１以上のユーザの複数が１以上の
顧客の複数の処方を要求した場合、処方管理システム１１０は、１以上のコンテナ１２０
の複数に取り付けられている複数の追跡装置１３０へ、各顧客について異なる色をアクテ
ィベートせよとの命令を送信する。そして、処方管理システム１１０は１以上のユーザの
複数に対して要求されたコンテナ１２０に関連づけられている色を通知する。
【００５４】
別の実施形態において、1以上のユーザの複数のうちのあるユーザが一人の顧客のため
の複数の処方を回収する場合、処方管理システム１１０は顧客に属する追跡装置の各々を
単一のLED発光色となるようにアクティベートして、その色の追跡装置を選択することに
よって顧客に属する複数の処方を１回でユーザが回収できるようにする。上述の実施形態
において処方管理システム１１０は少なくとも１つの追跡装置で現在アクティベートされ
ている色の記録を管理しており、現在アクティブでない色からアクティベートする色を選
択する。
【００５５】
別の実施形態では、指定された留置期間よりも長く調剤済み処方留置エリアに置かれて
いた処方オーダーの全てを、処方管理システム１１０によって同時に指示することができ
るのであり、これによりユーザはより効率的に古くなった処方オーダーを除去することが
できる。
【００５６】
１つの実施形態では、薬剤の不良バッチが薬局に配送された場合、処方管理システム１
１０は、不良バッチを有している処方を識別して、及び、不良バッチからの薬剤を有して
いるコンテナ１２０と関連づけられている追跡装置１３０に対して関連づけられている追
跡装置１３０上のインジケータシグナルをアクティベートせよとの命令を発する。これに
より、ユーザは不良処方を迅速に薬局から除去することができる。
【００５７】
処方管理システムとの関連で説明したが、本願明細書にて説明した処方追跡システム及
び方法は、識別情報を伴う任意の製品の追跡に一般的に適用可能である。例えば、小売店
のウィルコールエリア（will-call area）又は追跡装置と共に製品が保管される他の任意
の場面等のより汎用的な製品追跡用途に対して、汎用的な態様での製品追跡及び検証を適
用することができる。
【００５８】
総括
本願発明の実施形態に関しての上記記述は、例示目的で提示されており、網羅的な記述
ではなく、また、開示された形態そのものに本願発明を限定するものでもない。当業者は
、上述の開示を参照すれば、様々な改造や変更が可能であることを理解するであろう。
【００５９】
本願明細書の一部の記載は本願発明の実施形態を、アルゴリズム又は情報に対しての操
作についての記号による表現を用いて説明する。これらアルゴリズム的記述及び表現は、
データ処理技術分野における当業者が他の当業者に自己の成果の本質を伝達するために一
般的に用いるものである。これらの操作は機能的、計算的又は論理的に説明されているが
、コンピュータプログラム又は等価な電気回路、マイクロコード等によって実装されてい
るものと理解されている。さらに、これらの操作の配列をモジュールと呼称することが時
折便利であり、これにより普遍性は損なわれない。説明された操作及びこれらに関するモ
ジュールは、ソフトウェア、ファームウェア、ハードウェア又はこれらの任意の組合せと
して化体されることができる。
【００６０】
本願明細書にて説明したいずれのステップ、操作又は処理は、１以上のハードウェア若
しくはソフトウェアモジュールだけで又は他の装置と組み合わせて実行又は実装すること
ができる。１つの実施形態では、説明した任意の又は全てのステップ・操作又は処理を実
行するためのコンピュータプロセッサによって実行されることができるコンピュータプロ
グラムコードを含むコンピュータ可読媒体を備えるコンピュータプログラム製品を用いて
、ソフトウェアモジュールを実装する。
【００６１】
本願発明の実施形態は、本願明細書中の操作を行うための装置に関連することもできる
。このような装置は、要求される目的のために特化して構築されたものであることができ
、及び／又はコンピュータ内に格納されたコンピュータプログラムによって選択的にアク
ティベートされた若しくは再構成された汎用計算装置を備えることができる。このような
コンピュータプログラムは不揮発性の有形コンピュータ可読記憶媒体又は電子的命令を格
納するのに適した任意の種類の媒体に格納されていることができ、これはコンピュータシ
ステムバスに接続されていることができる。さらに、本願明細書中で言及した任意のコン
ピューティングシステムは、単一プロセッサ又は増大させた演算能力のためにマルチプロ
セッサ設計を採用するアーキテクチャを含むことができる。
【００６２】
本願発明の実施形態は、本願明細書中で説明されたコンピューティング処理によっても
たらされた製品に関連することもできる。このような製品は、コンピューティング処理に
よって生じる情報であって不揮発性の有形コンピュータ可読記憶媒体上に格納される情報
を備えることができ、及び本願明細書中で説明したコンピュータプログラム製品又は他の
データの組合せの任意の実施形態を含むことができる。
【００６３】
最後に言及するに、本願明細書中で用いた表現は主に読みやすさのため及び伝達目的の
ために選択されたものであり、独創性を有する対象を画定又は制限するために選択された
ものではない場合がある。したがって、本願発明の範疇はこの詳細な説明によって限定さ
れないことが意図されているのであり、むしろ本願に基づいている出願に対して付与され
るいずれかの請求項の記載に基づくことになる。よって、後述の請求項にて提示される本
願発明の範疇に関して、本願発明の実施形態についての開示は例示的なものとなることが
意図されており、限定的なものとなることは意図されていない。
【図１】
2018150175.tif 000003
【図２】
2018150175.tif 000004
【図３】
2018150175.tif 000005
【図４】
2018150175.tif 000006
【図５】
2018150175.tif 000007
【図６】
2018150175.tif 000008
【図７】
2018150175.tif 000009
【図８】
2018150175.tif 000010
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
複数のコンテナを探す方法であって、
複数の顧客オーダーのうちの所望の顧客オーダーを回収せよとの要求を受信するステップであって、前記複数の顧客オーダーそれぞれは製品を指定し、追跡装置が前記製品の少なくとも一部に結合され、前記追跡装置それぞれは前記複数の顧客オーダーそれぞれに関連づけられたオーダー識別子を格納するように構成されている、ステップと、
前記所望の顧客オーダーに関連づけられた所望のオーダー識別子を１以上の追跡装置にブロードキャストするステップであって、前記１以上の追跡装置は受信した所望のオーダー識別子と前記格納されたオーダー識別子との間の一致を検証するように構成され、前記一致を確認することに応答して、前記所望のオーダー識別子と一致するオーダー識別子がプログラムされている前記１以上の追跡装置に関連づけられているインジケータをアクティベートする、ステップと
を含む、方法。
【請求項２】
前記ブロードキャストは第１のインジケータをアクティベートすることを指定するものである、請求項１に記載の方法であって、別のオーダー識別子をブロードキャストして１以上の前記追跡装置に関連づけられている第２のインジケータをアクティベートするステップをさらに含む、請求項１に記載の方法。
【請求項３】
前記所望のオーダー識別子及び前記別のオーダー識別子は、同じ通信チャンネルを用いてブロードキャストされる、請求項２に記載の方法。
【請求項４】
前記要求の受信は、ポイントオブセールステーションの顧客から顧客情報を受信することに応答して実行される、請求項１に記載の方法。
【請求項５】
前記顧客情報は、キーパッド、タッチスクリーン、カードリーダー、レジ、及び近距離無線通信装置、の少なくともいずれか一つを介して、受信される、請求項４に記載の方法。
【請求項６】
前記顧客情報は、オーダー識別子を含む、請求項４に記載の方法。
【請求項７】
前記顧客情報は、顧客についての個人的識別番号を含む、請求項４に記載の方法。
【請求項８】
前記要求の受信は、ポイントオブセールステーションの顧客に前記所望の顧客オーダーによって指定された前記製品が引き渡されることを許可されるのを検証することに応答して実行される、請求項１に記載の方法。
【請求項９】
前記顧客の検証は、受信した顧客情報を前記所望の顧客オーダーと比較することを含む、請求項８に記載の方法。
【請求項１０】
複数のコンテナを探す方法であって、
複数のコンテナを受け取るステップであって、各コンテナは顧客オーダーに関連づけられた製品を格納し、各顧客オーダーは、オーダー識別子に関連づけられ、かつ、前記製品を指定し、各コンテナは、前記オーダー識別子を格納するように構成された追跡装置に結合している、ステップと、
所望の顧客オーダーを回収せよとの要求を受信するステップであって、前記所望の顧客オーダーは所望のオーダー識別子に関連づけられている、ステップと、
前記所望のオーダー識別子を１以上の追跡装置にブロードキャストするステップであって、前記１以上の追跡装置は、受信した前記所望のオーダー識別子と前記格納されたオーダー識別子との間の一致を決定する、ステップと、
前記一致を確認するのに応答して、前記所望のオーダー識別子と一致するオーダー識別子がプログラムされている前記１以上の追跡装置に関連づけられた識別子をアクティベートするステップと
を含む方法。
【請求項１１】
前記複数のコンテナは、遠隔調剤地点から受け取られる、請求項１０に記載の方法。
【請求項１２】
前記複数のコンテナそれぞれは、前記遠隔調剤地点からの前記複数のコンテナの輸送時に当該コンテナをロックするロッキング機構を含む、請求項１１に記載の方法。
【請求項１３】
受け取った前記複数のコンテナそれぞれをスキャンするステップと、
受け取ったコンテナに関連づけられた前記顧客オーダーと、前記関連づけられたオーダー識別子とを、リモートの処方管理システムに照会するステップと、
前記オーダー識別子をローカルの処方管理システムに格納するステップと、をさらに含む、請求項１０に記載の方法。
【請求項１４】
受け取ったコンテナに関連づけられた前記顧客オーダーと、前記関連づけられたオーダー識別子と、について、リモートの処方管理システムにアクセスするステップと、
前記オーダー識別子をローカルの処方管理システムに格納するステップと、をさらに含む、請求項１０に記載の方法。
【請求項１５】
受け取った前記複数のコンテナそれぞれの追跡装置から前記格納されたオーダー識別子を受信するステップと、
前記オーダー識別子をローカルの処方管理システムに格納するステップと、をさらに含む、請求項１０に記載の方法。
【請求項１６】
前記製品は調剤済み処方であり、前記追跡装置は、前記調剤済み処方に関連づけられた処方情報を格納するようにさらに構成されている、請求項１０に記載の方法。
【請求項１７】
受け取った前記複数のコンテナそれぞれに格納された前記調剤済み処方が、前記追跡装置に格納された前記処方情報と一致することを検証するステップをさらに含む、請求項１６に記載の方法。
【請求項１８】
アクティベートされたインジケータに関連づけられた前記追跡装置を有する前記コンテナに格納された前記製品を検証した後で、前記製品を顧客に引き渡す、ステップをさらに含む、請求項１６に記載の方法。
【外国語明細書】
2018150175000001.pdf